(57)【要約】  映像表示装置の表示面側および背面側の両方向から容易にアクセスすることが可能であり、かつ、映像表示装置と隣接する他の映像表示装置との間の表示面の左右方向および上下方向の隙間と前後方向の段差とを精度よく調整しその状態で固定することで、映像の品位を向上させることが可能な技術を提供することを目的とする。左右位置調整ノブ２５の回転操作により各ＬＥＤ表示タイル１ａ〜１ｒが左右方向に移動する。上下位置調整ノブ２６の回転操作により各ＬＥＤ表示タイル１ａ〜１ｒが上下方向に移動する。位置決めピン１２が穴部１９ａに挿入された状態で段差調整部材１４における位置決めピン１２側の面が磁石１３の磁力により当接部１８に吸着することで、各ＬＥＤ表示タイル１ａ〜１ｒが支持構造体２に固定される。
2019155510.tif 000002
【特許請求の範囲】
【請求項１】
複数の映像表示装置（１ａ〜１ｒ）と、
複数の前記映像表示装置（１ａ〜１ｒ）を支持する支持構造体（２）と、
各前記映像表示装置（１ａ〜１ｒ）の位置を調整可能な位置調整機構（５０，５０Ａ，５０Ｂ）と、
を備え、
前記位置調整機構（５０，５０Ａ，５０Ｂ）は、各前記映像表示装置（１ａ〜１ｒ）の上下方向および左右方向の位置調整を担う目地調整機構（１０，１１）と、各前記映像表示装置（１ａ〜１ｒ）の前後方向の位置調整を担う段差調整機構（１５，１５Ａ）とを備え、
前記段差調整機構（１５，１５Ａ）は、各前記映像表示装置（１ａ〜１ｒ）の背面の４つの角部に配置されかつ磁石を有する、回転操作可能な段差調整部材（１４）と、前記段差調整部材（１４）の回転軸と同軸上に設けられた位置決めピン（１２）とを備え、
前記目地調整機構（１０，１１）は、前記支持構造体（２）における各前記映像表示装置（１ａ〜１ｒ）の４つの角部に対応する位置に配置された連結部材（６，７，８，９）と、前記連結部材（６，７，８，９）上を左右方向に移動可能な左右移動台（１６）と、前記左右移動台（１６）上を上下方向に移動可能な上下移動台（１７）と、前記上下移動台（１７）の前端部に配置されかつ磁石または磁性体材料により形成され前記段差調整部材（１４）における前記位置決めピン（１２）側の面と当接可能な当接部（１８）と、前記当接部（１８）から後方に延びるように形成されかつ前記位置決めピン（１２）を挿入可能な穴部（１９ａ，３２ａ）と、前記左右移動台（１６）および前記上下移動台（１７）を左右方向に移動させる左右位置調整機構（２０）と、前記左右位置調整機構（２０）に連結されかつ前記連結部材（６，７，８，９）に配置された、回転操作可能な左右位置調整ノブ（２５）と、前記上下移動台（１７）を上下方向に移動させる上下位置調整機構（２１）と、前記上下位置調整機構（２１）に連結されかつ前記左右移動台（１６）に配置された、回転操作可能な上下位置調整ノブ（２６）とを備え、
前記左右位置調整ノブ（２５）の回転操作により前記左右位置調整機構（２０）を介して前記左右移動台（１６）および前記上下移動台（１７）を左右方向に移動させることで各前記映像表示装置（１ａ〜１ｒ）が左右方向に移動し、前記上下位置調整ノブ（２６）の回転操作により前記上下位置調整機構（２１）を介して前記上下移動台（１７）を上下方向に移動させることで各前記映像表示装置（１ａ〜１ｒ）が上下方向に移動し、
前記位置決めピン（１２）が前記穴部（１９ａ，３２ａ）に挿入された状態で前記段差調整部材（１４）における前記位置決めピン（１２）側の面が前記磁石の磁力により前記当接部（１８）に吸着することで、各前記映像表示装置（１ａ〜１ｒ）が前記支持構造体（２）に固定される、マルチディスプレイシステム。
【請求項２】
前記左右位置調整ノブ（２５）および前記上下位置調整ノブ（２６）は共に磁石を有し、
前記マルチディスプレイシステム（１００）は、前記段差調整部材（１４）、前記左右位置調整ノブ（２５）および前記上下位置調整ノブ（２６）を磁力により吸着可能なマグネット治具（３００）をさらに備え、
前記マグネット治具（３００）が各前記映像表示装置（１ａ〜１ｒ）の表示面に配置され、各前記映像表示装置（１ａ〜１ｒ）の表示面側から前記マグネット治具（３００）の磁力により各前記映像表示装置（１ａ〜１ｒ）を介して前記段差調整部材（１４）、前記左右位置調整ノブ（２５）および前記上下位置調整ノブ（２６）を吸着した状態で回転操作されることで、各前記映像表示装置（１ａ〜１ｒ）の前後方向、左右方向および上下方向の位置が調整される、請求項１記載のマルチディスプレイシステム。
【請求項３】
前記位置決めピン（１２）は先端部に設けられた突起形状部（２８）を有し、
前記上下移動台（１７）は、前記穴部（１９ａ，３２ａ）の奥側に前記突起形状部（２８）の固定および固定解除を行うラッチ機構（３１）をさらに備え、
前記ラッチ機構（３１）は、前記突起形状部（２８）を挟持可能な爪部（３０）と、前記爪部の開閉を切り替えるプッシュ・プル機構（２９）とを備え、
前記プッシュ・プル機構（２９）に対する前記段差調整機構（１５，１５Ａ）の押し込み操作により前記突起形状部（２８）を固定および固定解除を行うことで各前記映像表示装置（１ａ〜１ｒ）が前記支持構造体（２）に固定および固定解除される、請求項１記載のマルチディスプレイシステム。
【請求項４】
複数の映像表示装置（１ａ〜１ｒ）と、
複数の前記映像表示装置（１ａ〜１ｒ）を支持する支持構造体（２）と、
各前記映像表示装置（１ａ〜１ｒ）の位置を調整可能な位置調整機構（５０Ｃ）と、
を備え、
前記位置調整機構（５０Ｃ）は、各前記映像表示装置（１ａ〜１ｒ）の上下方向および左右方向の位置調整を担う目地調整機構（１０Ａ）と、各前記映像表示装置（１ａ〜１ｒ）の前後方向の位置調整を担う段差調整機構（１５，１５Ａ）とを備え、
前記段差調整機構（１５，１５Ａ）は、各前記映像表示装置（１ａ〜１ｒ）の背面の４つの角部に配置されかつ磁石を有する、回転操作可能な段差調整部材（１４）と、前記段差調整部材（１４）の回転軸と同軸上に設けられた位置決めピン（１２）とを備え、
前記目地調整機構（１０Ａ）は、前記支持構造体（２）における各前記映像表示装置（１ａ〜１ｒ）の４つの角部に対応する位置に配置された連結部材（６，７，８，９）と、前記連結部材（６，７，８，９）上を前後方向に移動可能な前後移動台（３４）と、前記前後移動台（３４）上を左右方向に移動可能な左右移動台（１６）と、前記左右移動台（１６）上を上下方向に移動可能な上下移動台（１７）と、前記上下移動台（１７）の前端部に配置されかつ磁石または磁性体材料により形成され前記段差調整部材（１４）における前記位置決めピン（１２）側の面と当接可能な当接部（１８）と、前記当接部（１８）から後方に延びるように形成されかつ前記位置決めピン（１２）を挿入可能な穴部（１９ａ，３２ａ）と、前記左右移動台（１６）および前記上下移動台（１７）を左右方向に移動させる左右位置調整機構（２０）と、前記左右位置調整機構（２０）に連結されかつ前記連結部材（６，７，８，９）に配置された、回転操作可能な左右位置調整ノブ（２５）と、前記上下移動台（１７）を上下方向に移動させる上下位置調整機構（２１）と、前記上下位置調整機構（２１）に連結されかつ前記左右移動台（１６）に配置された、回転操作可能な上下位置調整ノブ（２６）とを備え、
前記左右位置調整ノブ（２５）の回転操作により前記左右位置調整機構（２０）を介して前記左右移動台（１６）および前記上下移動台（１７）を左右方向に移動させることで各前記映像表示装置（１ａ〜１ｒ）が左右方向に移動し、前記上下位置調整ノブ（２６）の回転操作により前記上下位置調整機構（２１）を介して前記上下移動台（１７）を上下方向に移動させることで各前記映像表示装置（１ａ〜１ｒ）が上下方向に移動し、
前記位置決めピン（１２）が前記穴部（１９ａ，３２ａ）に挿入された状態で前記段差調整部材（１４）における前記位置決めピン（１２）側の面が前記磁石の磁力により前記当接部（１８）に吸着することで、各前記映像表示装置（１ａ〜１ｒ）が前記支持構造体（２）に固定され、
各前記映像表示装置（１ａ〜１ｒ）を前記支持構造体（２）に固定する際、前記前後移動台（３４）を前方に移動させて、前記穴部（１９ａ，３２ａ）に前記位置決めピン（１２）を挿入し、前記段差調整部材（１４）における前記位置決めピン（１２）側の面が前記磁石の磁力により前記当接部（１８）に吸着した状態で、前記前後移動台（３４）を後方に移動させる、マルチディスプレイシステム。
【請求項５】
前記左右位置調整ノブ（２５）および前記上下位置調整ノブ（２６）は共に磁石を有し、
前記マルチディスプレイシステム（１００）は、前記段差調整部材（１４）、前記左右位置調整ノブ（２５）および前記上下位置調整ノブ（２６）を磁力により吸着可能なマグネット治具（３００）をさらに備え、
前記マグネット治具（３００）が各前記映像表示装置（１ａ〜１ｒ）の表示面に配置され、各前記映像表示装置（１ａ〜１ｒ）の表示面側から前記マグネット治具（３００）の磁力により各前記映像表示装置（１ａ〜１ｒ）を介して前記段差調整部材（１４）、前記左右位置調整ノブ（２５）および前記上下位置調整ノブ（２６）を吸着した状態で回転操作されることで、各前記映像表示装置（１ａ〜１ｒ）の前後方向、左右方向および上下方向の位置が調整される、請求項４記載のマルチディスプレイシステム。
【請求項６】
前記位置決めピン（１２）は先端部に設けられた突起形状部（２８）を有し、
前記上下移動台（１７）は、前記穴部（１９ａ，３２ａ）の奥側に前記突起形状部（２８）の固定および固定解除を行うラッチ機構（３１）をさらに備え、
前記ラッチ機構（３１）は、前記突起形状部（２８）を挟持可能な爪部（３０）と、前記爪部（３０）の開閉を切り替えるプッシュ・プル機構（２９）とを備え、
前記プッシュ・プル機構（２９）に対する前記段差調整機構（１５，１５Ａ）の押し込み操作により前記突起形状部（２８）を固定および固定解除を行うことで各前記映像表示装置（１ａ〜１ｒ）が前記支持構造体（２）に固定および固定解除される、請求項４記載のマルチディスプレイシステム。
【請求項７】
マルチディスプレイシステム（１００）における映像表示装置（１ａ〜１ｒ）であって、
前記マルチディスプレイシステム（１００）が備える支持構造体（２）により支持され、
前記マルチディスプレイシステム（１００）が備える位置調整機構（５０，５０Ａ，５０Ｂ）により前記映像表示装置（１ａ〜１ｒ）の位置が調整可能であり、
前記位置調整機構（５０，５０Ａ，５０Ｂ）は、前記映像表示装置（１ａ〜１ｒ）の上下方向および左右方向の位置調整を担う目地調整機構（１０，１１）と、前記映像表示装置（１ａ〜１ｒ）の前後方向の位置調整を担う段差調整機構（１５，１５Ａ）とを備え、
前記段差調整機構（１５，１５Ａ）は、前記映像表示装置（１ａ〜１ｒ）の背面の４つの角部に配置されかつ磁石を有する、回転操作可能な段差調整部材（１４）と、前記段差調整部材（１４）の回転軸と同軸上に設けられた位置決めピン（１２）とを備え、
前記目地調整機構（１０，１１）は、前記支持構造体（２）における前記映像表示装置（１ａ〜１ｒ）の４つの角部に対応する位置に配置された連結部材（６，７，８，９）と、前記連結部材（６，７，８，９）上を左右方向に移動可能な左右移動台（１６）と、前記左右移動台（１６）上を上下方向に移動可能な上下移動台（１７）と、前記上下移動台（１７）の前端部に配置されかつ磁石または磁性体材料により形成され前記段差調整部材（１４）における前記位置決めピン（１２）側の面と当接可能な当接部（１８）と、前記当接部（１８）から後方に延びるように形成されかつ前記位置決めピン（１２）を挿入可能な穴部（１９ａ，３２ａ）と、前記左右移動台（１６）および前記上下移動台（１７）を左右方向に移動させる左右位置調整機構（２０）と、前記左右位置調整機構（２０）に連結されかつ前記連結部材（６，７，８，９）に配置された、回転操作可能な左右位置調整ノブ（２５）と、前記上下移動台（１７）を上下方向に移動させる上下位置調整機構（２１）と、前記上下位置調整機構（２１）に連結されかつ前記左右移動台（１６）に配置された、回転操作可能な上下位置調整ノブ（２６）とを備え、
前記左右位置調整ノブ（２５）の回転操作により前記左右位置調整機構（２０）を介して前記左右移動台（１６）および前記上下移動台（１７）を左右方向に移動させることで前記映像表示装置（１ａ〜１ｒ）が左右方向に移動し、前記上下位置調整ノブ（２６）の回転操作により前記上下位置調整機構（２１）を介して前記上下移動台（１７）を上下方向に移動させることで前記映像表示装置（１ａ〜１ｒ）が上下方向に移動し、
前記位置決めピン（１２）が前記穴部（１９ａ，３２ａ）に挿入された状態で前記段差調整部材（１４）における前記位置決めピン（１２）側の面が前記磁石の磁力により前記当接部（１８）に吸着することで、各前記映像表示装置（１ａ〜１ｒ）が前記支持構造体（２）に固定される、映像表示装置。
【請求項８】
マルチディスプレイシステム（１００）における映像表示装置（１ａ〜１ｒ）であって、
前記マルチディスプレイシステム（１００）が備える支持構造体（２）により支持され、
前記マルチディスプレイシステム（１００）が備える位置調整機構（５０Ｃ）により前記映像表示装置（１ａ〜１ｒ）の位置が調整可能であり、
前記位置調整機構（５０Ｃ）は、前記映像表示装置（１ａ〜１ｒ）の上下方向および左右方向の位置調整を担う目地調整機構（１０Ａ）と、前記映像表示装置（１ａ〜１ｒ）の前後方向の位置調整を担う段差調整機構（１５，１５Ａ）とを備え、
前記段差調整機構（１５，１５Ａ）は、前記映像表示装置（１ａ〜１ｒ）の背面の４つの角部に配置されかつ磁石を有する、回転操作可能な段差調整部材（１４）と、前記段差調整部材（１４）の回転軸と同軸上に設けられた位置決めピン（１２）とを備え、
前記目地調整機構（１０Ａ）は、前記支持構造体（２）における前記映像表示装置（１ａ〜１ｒ）の４つの角部に対応する位置に配置された連結部材（６，７，８，９）と、前記連結部材（６，７，８，９）上を前後方向に移動可能な前後移動台（３４）と、前記前後移動台（３４）上を左右方向に移動可能な左右移動台（１６）と、前記左右移動台（１６）上を上下方向に移動可能な上下移動台（１７）と、前記上下移動台（１７）の前端部に配置されかつ磁石または磁性体材料により形成され前記段差調整部材（１４）における前記位置決めピン（１２）側の面と当接可能な当接部（１８）と、前記当接部（１８）から後方に延びるように形成されかつ前記位置決めピン（１２）を挿入可能な穴部（１９ａ，３２ａ）と、前記左右移動台（１６）および前記上下移動台（１７）を左右方向に移動させる左右位置調整機構（２０）と、前記左右位置調整機構（２０）に連結されかつ前記連結部材（６，７，８，９）に配置された、回転操作可能な左右位置調整ノブ（２５）と、前記上下移動台（１７）を上下方向に移動させる上下位置調整機構（２１）と、前記上下位置調整機構（２１）に連結されかつ前記左右移動台（１６）に配置された、回転操作可能な上下位置調整ノブ（２６）とを備え、
前記左右位置調整ノブ（２５）の回転操作により前記左右位置調整機構（２０）を介して前記左右移動台（１６）および前記上下移動台（１７）を左右方向に移動させることで前記映像表示装置（１ａ〜１ｒ）が左右方向に移動し、前記上下位置調整ノブ（２６）の回転操作により前記上下位置調整機構（２１）を介して前記上下移動台（１７）を上下方向に移動させることで前記映像表示装置（１ａ〜１ｒ）が上下方向に移動し、
前記位置決めピン（１２）が前記穴部（１９ａ，３２ａ）に挿入された状態で前記段差調整部材（１４）における前記位置決めピン（１２）側の面が前記磁石の磁力により前記当接部（１８）に吸着することで、各前記映像表示装置（１ａ〜１ｒ）が前記支持構造体（２）に固定され、
前記映像表示装置（１ａ〜１ｒ）を前記支持構造体（２）に固定する際、前記前後移動台（３４）を前方に移動させて、前記穴部（１９ａ，３２ａ）に前記位置決めピン（１２）を挿入し、前記段差調整部材（１４）における前記位置決めピン（１２）側の面が前記磁石の磁力により前記当接部（１８）に吸着した状態で、前記前後移動台（３４）を後方に移動させる、映像表示装置。
【発明の詳細な説明】
【技術分野】
【０００１】
本発明は、複数の映像表示装置を上下方向および左右方向に並べて大画面の映像情報を表示するマルチディスプレイシステムおよび映像表示装置に関するものである。
【背景技術】
【０００２】
ＬＥＤなどの表示素子を複数用いて構成される表示タイルは、表示素子の技術発展と低コスト化のおかげで、屋外および屋内の広告表示等に多く使用されている。表示タイルを備える表示装置は、これまで自然画およびアニメーションの動画像の表示等に用いられることが主流であった。しかし、屋内用途として、画素ピッチの狭ピッチ化に伴い視認距離が短くなることから、表示タイルを備える表示装置は、会議室および監視用途などのパソコンの画像表示用にも近年使用されるようになってきた。特に、監視用途においては、静止画に近いパソコン画像を表示することが多くなっている。【０００３】
また、表示タイルを備える表示装置としては、セラミックまたは樹脂などで成型されたキャビティの内部にＬＥＤ表示素子を実装し、これを封止樹脂で固めることで形成された小さなＬＥＤ表示モジュールを基板に実装したＳＭＤ（Ｓｕｒｆａｃｅ Ｍｏｕｎｔ Ｄｅｖｉｃｅ：表面実装部品）型が主流である。ＳＭＤ型の表示装置は、これまで画素ピッチが３ｍｍ以上の大型映像表示装置として使用されてきた。【０００４】
しかし、近年では、ＬＥＤ表示素子の低コスト化と高精細化を背景に、画素ピッチが１〜２ｍｍ等の高密度実装品にて構成されたＬＥＤ表示装置をタイル状に複数並べて構成した大型映像表示装置が市場に導入されている。【０００５】
例えば特許文献１および特許文献２には、ＬＥＤ表示装置の構成要素とその保持方法が開示されている。【０００６】
特許文献１では、大型映像表示装置は、複数のＬＥＤ表示タイルから構成されたマルチディスプレイシステムにより構成されている。小さなＬＥＤ表示モジュール基板上に、Ｒ，Ｇ，ＢのＬＥＤ表示素子がモジュール基板の周縁部の近傍まで実装されている。複数のＬＥＤ表示モジュール基板が正方配列状に配置されて第１のＬＥＤ表示タイルを形成するために、複数のＬＥＤ表示モジュール基板がサポート構造に組み立てられている。第２のＬＥＤ表示タイルも、第１のＬＥＤ表示タイルと同様にサポート構造に組み立てられている。第１のＬＥＤ表示タイルと第２のＬＥＤ表示タイルは、非常に小さな隙間を維持して互いにほぼ密着した状態でサポート構造に組み立てられている。この非常に小さな隙間に対して、画素ピッチと同じ寸法が要求されている。【０００７】
また、特許文献１および特許文献２には、ＬＥＤ表示タイルの側面の形状は平面形状に加工されている。これらのＬＥＤ表示タイルを複数組み合わせて、マルチディスプレイシステムによる大画面映像表示装置を構成する場合、各ＬＥＤ表示タイルの側面がほぼ密着するように連結される。【０００８】
また、特許文献３には、フック型の連結部材を用いてＬＥＤ表示タイル同士を連結する構造が開示されている。
【先行技術文献】
【特許文献】
【０００９】
【特許文献１】米国特許第８３８４６１６号明細書
【特許文献２】中国特許第１０１９３７６３０号明細書
【特許文献３】中国特許第２０３６４４３３３号明細書
【発明の概要】
【発明が解決しようとする課題】
【００１０】
ＬＥＤ表示タイルと隣接する他のＬＥＤ表示タイルとの上下方向および左右方向の隙間、およびＬＥＤ表示面の前後方向の段差を画素ピッチと同じ寸法に抑えて、これらの隙間および段差が目立たないようにすることが必要となる。また、映像表示装置の背面側に作業するための十分な空間がないため、映像表示面側からこれらの隙間および段差が目立たないように映像表示装置の位置を調整することも必要となる。【００１１】
特許文献１では、各ＬＥＤ表示タイルはその配列が損なわれることがないように取付け構造体により支持されている。この取付け構造体は、ＬＥＤ表示タイルと、上下方向および左右方向に隣接するＬＥＤ表示タイルとの隙間が画素ピッチと同じ寸法になるように配置されている。しかし、ＬＥＤ表示タイルの側面は平面に形成されているため、ＬＥＤ表示タイルを保持するサポート構造の寸法公差または平面度等の機械的な精度に起因して、ＬＥＤ表示タイルと隣接する他のＬＥＤ表示タイルとの隙間がばらつくという問題があった。【００１２】
また、特許文献２では、ＬＥＤ表示モジュール基板がＬＥＤベース部品に取り付けられ、ＬＥＤベース部品の背面に筐体フレーム部品とジョイント部品が取り付けられている。そして、これらの部材から構成されたＬＥＤ表示タイルは、ほぼ平面形状の側面を有している。特許文献２においても、特許文献１の場合と同様に、ＬＥＤ表示タイルを上下方向および左右方向に複数配置した場合、ＬＥＤ表示タイルと隣接する他のＬＥＤ表示タイルとの隙間がばらつくという問題があった。【００１３】
また、特許文献３では、フック型の連結部材を用いてＬＥＤ表示タイル同士を連結しているため、ＬＥＤ表示タイル同士の左右方向の連結に際して高精度な位置合わせが必要である。そのため、ＬＥＤ表示タイルの位置合わせに相当な時間を要するという問題があった。【００１４】
このように特許文献１〜３に記載の構造では、ＬＥＤ表示タイルを構成する金属筐体の構造部品の加工寸法のバラツキ、またはＬＥＤ表示モジュール基板のソリ等によって、ＬＥＤ表示タイルと隣接する他のＬＥＤ表示タイルとの隙間およびＬＥＤ表示面の前後方向の段差が発生するという問題があった。このような隙間および段差は、輝度の変化または指向性の変化などにより、連結部、すなわち、ＬＥＤ表示タイルと隣接する他のＬＥＤ表示タイルとの間の目地として認識され、映像の品位が劣化する要因となっていた。【００１５】
そこで、本発明は、映像表示装置の表示面側および背面側の両方向から容易にアクセスすることが可能であり、かつ、映像表示装置と隣接する他の映像表示装置との間の表示面の左右方向および上下方向の隙間と前後方向の段差とを精度よく調整しその状態で固定することで、映像の品位を向上させることが可能な技術を提供することを目的とする。
【課題を解決するための手段】
【００１６】
本発明に係るマルチディスプレイシステムは、複数の映像表示装置と、複数の前記映像表示装置を支持する支持構造体と、各前記映像表示装置の位置を調整可能な位置調整機構とを備え、前記位置調整機構は、各前記映像表示装置の上下方向および左右方向の位置調整を担う目地調整機構と、各前記映像表示装置の前後方向の位置調整を担う段差調整機構とを備え、前記段差調整機構は、各前記映像表示装置の背面の４つの角部に配置されかつ磁石を有する、回転操作可能な段差調整部材と、前記段差調整部材の回転軸と同軸上に設けられた位置決めピンとを備え、前記目地調整機構は、前記支持構造体における各前記映像表示装置の４つの角部に対応する位置に配置された連結部材と、前記連結部材上を左右方向に移動可能な左右移動台と、前記左右移動台上を上下方向に移動可能な上下移動台と、前記上下移動台の前端部に配置されかつ磁石または磁性体材料により形成され前記段差調整部材における前記位置決めピン側の面と当接可能な当接部と、前記当接部から後方に延びるように形成されかつ前記位置決めピンを挿入可能な穴部と、前記左右移動台および前記上下移動台を左右方向に移動させる左右位置調整機構と、前記左右位置調整機構に連結されかつ前記連結部材に配置された、回転操作可能な左右位置調整ノブと、前記上下移動台を上下方向に移動させる上下位置調整機構と、前記上下位置調整機構に連結されかつ前記左右移動台に配置された、回転操作可能な上下位置調整ノブとを備え、前記左右位置調整ノブの回転操作により前記左右位置調整機構を介して前記左右移動台および前記上下移動台を左右方向に移動させることで各前記映像表示装置が左右方向に移動し、前記上下位置調整ノブの回転操作により前記上下位置調整機構を介して前記上下移動台を上下方向に移動させることで各前記映像表示装置が上下方向に移動し、前記位置決めピンが前記穴部に挿入された状態で前記段差調整部材における前記位置決めピン側の面が前記磁石の磁力により前記当接部に吸着することで、各前記映像表示装置が前記支持構造体に固定される。
【発明の効果】
【００１７】
本発明によれば、映像表示装置の表示面側および背面側の両方向から容易にアクセスすることが可能であり、かつ、映像表示装置と隣接する他の映像表示装置との間の表示面の左右方向および上下方向の隙間と前後方向の段差とを精度よく調整しその状態で固定することで、映像の品位を向上させることが可能である。【００１８】
この発明の目的、特徴、局面、および利点は、以下の詳細な説明と添付図面とによって、より明白となる。
【図面の簡単な説明】
【００１９】
【図１】実施の形態１に係るマルチディスプレイシステムの斜視図である。
【図２】ＬＥＤ表示タイルの斜視図である。
【図３】ＬＥＤ表示タイルおよび支持構造体の分解斜視図である。
【図４】ＬＥＤ表示タイルの背面斜視図である。
【図５】段差調整機構の斜視図である。
【図６】位置調整機構の概略構成図である。
【図７】ラックおよびピニオンの概略構成図である。
【図８】ラックおよびピニオンの動作説明図である。
【図９】位置調整機構の動作説明図である。
【図１０】実施の形態２に係るマルチディスプレイシステムが備える位置調整機構の概略構成図である。
【図１１】位置調整機構の動作説明図である。
【図１２】右下の角部の位置調整機構の概略構成図である。
【図１３】左上の角部の連結部材の概略構成図である。
【図１４】ラッチ機構の概略構成図である。
【図１５】ラッチ機構の他の例の概略構成図である。
【図１６】実施の形態３に係るマルチディスプレイシステムが備える位置調整機構の概略構成図である。
【図１７】位置調整機構の動作説明図である。
【図１８】実施の形態４に係るマルチディスプレイシステムが備えるマグネット治具による段差調整機構の前後方向と、目地調整機構の左右方向および上下方向の位置調整の動作説明図である。
【図１９】マグネット治具による段差調整機構の前方向の位置調整の動作説明図である。
【図２０】マグネット治具による段差調整機構の後方向の位置調整の動作説明図である。
【発明を実施するための形態】
【００２０】
＜実施の形態１＞
本発明の実施の形態１について、図面を用いて以下に説明する。図１は、実施の形態１に係るマルチディスプレイシステム１００の斜視図である。図２は、ＬＥＤ表示タイル１ｆの斜視図である。図３は、ＬＥＤ表示タイル１ｆおよび支持構造体２の分解斜視図である。
【００２１】
図１に示すように、マルチディスプレイシステム１００は、複数のＬＥＤ表示タイル１ａ〜１ｒ、支持構造体２、および架台３を備えている。なお、ＬＥＤ表示タイル１ａ〜１ｒが映像表示装置に相当する。
【００２２】
また、マルチディスプレイシステム１００はさらに、位置調整機構５０（図６参照）を備えている。
【００２３】
マルチディスプレイシステム１００は、架台３に、例えば１８台のＬＥＤ表示タイル１ａ〜１ｒを上下方向および左右方向に配置して構成されている。より具体的には、ＬＥＤ表示タイル１ａ〜１ｒは、上下方向に３台、左右方向に６台配置されている。１８台のＬＥＤ表示タイル１ａ〜１ｒは同じ構成であるため、ここではＬＥＤ表示タイル１ｆについて説明する。
【００２４】
図２に示すように、ＬＥＤ表示タイル１ｆは、４枚のＬＥＤモジュール基板４、およびＬＥＤベース５を備えている。４枚のＬＥＤモジュール基板４は、上下方向に２枚、左右方向に２枚配置されている。４枚のＬＥＤモジュール基板４の各々には、表示素子としてのＬＥＤが正方配列状に複数配列されている。ＬＥＤベース５は、４枚のＬＥＤモジュール基板４の背面に固定されている。ＬＥＤベース５は、非磁性材料であるアルミニウムまたはマグネシウム合金を用いて構成されている。４枚のＬＥＤモジュール基板４は、ＬＥＤベース５に対して精度よく位置調整され、ＬＥＤモジュール基板４と隣接する他のＬＥＤモジュール基板４との間の隙間が目立たないように配置され固定されている。
【００２５】
図２と図３に示すように、支持構造体２は、ＬＥＤ表示タイル１ｆの背面、より具体的には、ＬＥＤベース５の背面にコーナージョイント６，７，８，９を介して連結され、ＬＥＤ表示タイル１ｆの背面を支持する。支持構造体２は、非磁性材料であるアルミニウムを用いて構成されている。コーナージョイント６，７，８，９は、ＬＥＤ表示タイル１ｆの背面の４つの角部に対応する位置に配置されている。支持構造体２は、矩形枠形状の２つの背面フレーム１０２，１０３を前後に組み付けて構成されている。背面フレーム１０２および背面フレーム１０３は、前後方向に延びる複数のフレーム１０２ｃにより固定されている。フレーム１０２ｃは、コーナージョイント６，７，８，９の周辺に配置されている。なお、前後方向とは図１の「Ｚ軸方向」である。また、コーナージョイント６，７，８，９が連結部材に相当する。
【００２６】
次に、背面フレーム１０２について説明する。図３に示すように、背面フレーム１０２は、前側のフレームであり、左右方向に延びるフレーム１０２ａ、および上下方向に延びるフレーム１０２ｂを備えている。なお、左右方向とは図１の「Ｘ軸方向」であり、上下方向とは図１の「Ｙ軸方向」である。
【００２７】
次に、背面フレーム１０３について説明する。背面フレーム１０３は、後側のフレームであり、左右方向に延びるフレーム１０３ａ、および上下方向に延びるフレーム１０３ｂを備えている。
【００２８】
また、ＬＥＤ表示タイル１ａ〜１ｒの背面を構成するＬＥＤベース５の内部には、ＬＥＤ表示駆動回路および電源などが収容されているが、これらは従来の構成と同様であるためその詳細については説明を省略する。
【００２９】
図３に示すように、コーナージョイント６，７，８，９が背面フレーム１０２および背面フレーム１０３を連結するフレーム１０２ｅに固定ネジ（図示省略）により固定されることで、支持構造体２を構成するフレーム同士は強固に連結されている。フレーム１０２ａ，１０２ｂ，１０２ｃ，２０２ａ，２０２ｂは、断面形状が同一で長さが異なる押出フレームである。支持構造体２は、複数の押出フレームを組み合わせることで安価に構成することが可能である。
【００３０】
コーナージョイント６，７，８，９は、支持構造体２におけるＬＥＤ表示タイル１ｆの４つの角部に対応する位置に配置されている。より具体的には、コーナージョイント６は、支持構造体２におけるＬＥＤ表示タイル１ｆの左上の角部に対応する位置に配置されている。コーナージョイント７は、支持構造体２におけるＬＥＤ表示タイル１ｆの右上の角部に対応する位置に配置されている。コーナージョイント８は、支持構造体２におけるＬＥＤ表示タイル１ｆの左下の角部に対応する位置に配置されている。コーナージョイント９は、支持構造体２におけるＬＥＤ表示タイル１ｆの右下の角部に対応する位置に配置されている。
【００３１】
本実施の形態では、コーナージョイント８に、位置調整機構５０の一部である目地調整機構１０が設けられ、コーナージョイント９に、位置調整機構５０の一部である目地調整機構１１が設けられている。コーナージョイント８，９は、フレーム連結の役割と、支持構造体２の強度メンバーとしての役割と、ＬＥＤ表示タイル１ｆの上下方向および左右方向の位置調整機能とを兼ね備えており、部品点数の削減、および製造コストの削減が図られている。なお、本実施の形態では、コーナージョイント８，９に目地調整機構１０，１１がそれぞれ設けられているが、コーナージョイント８，９に代えてコーナージョイント６，７に目地調整機構がそれぞれ設けられていてもよい。
【００３２】
次に、ＬＥＤ表示タイル１ａ〜１ｒの背面構造について説明する。図４は、ＬＥＤ表示タイル１ａの背面斜視図である。図５は、段差調整機構１５の斜視図である。１８台のＬＥＤ表示タイル１ａ〜１ｒは同じ構成であるため、ここではＬＥＤ表示タイル１ａについて説明する。
【００３３】
図４に示すように、ＬＥＤベース５の背面の４つの角部に、４つの段差調整機構１５がそれぞれ設けられている。段差調整機構１５は、位置調整機構５０の一部である。ここで、位置調整機構５０について簡単に説明する。
【００３４】
位置調整機構５０は、各ＬＥＤ表示タイル１ａ〜１ｒの位置を調整可能であり、目地調整機構１０，１１、および段差調整機構１５を備えている。目地調整機構１０，１１は、各ＬＥＤ表示タイル１ａ〜１ｒの左右方向および上下方向の位置調整を担っている。段差調整機構１５は、各ＬＥＤ表示タイル１ａ〜１ｒの前後方向の位置調整を担っている。
【００３５】
図４と図５に示すように、段差調整機構１５は、段差調整部材１４、磁石１３、および位置決めピン１２を備えている。段差調整部材１４は円板形状であり、段差調整部材１４の外周部に操作部１４ａが設けられている。操作部１４ａは、使用者が指でつまんで段差調整部材１４を回転させるために設けられている。段差調整部材１４の前面に、前方に突出する雄ネジ１４ｂが設けられている。段差調整部材１４の背面に位置決めピン１２が設けられている。位置決めピン１２は段差調整部材１４の中心軸上に背面から後方に突出している。すなわち、位置決めピン１２は段差調整部材１４の回転軸と同軸上に設けられている。また、位置決めピン１２は先端部に設けられた円錐形状部２７を有している。
【００３６】
ＬＥＤベース５の背面の４つの角部に４つのネジ穴（図示省略）がそれぞれ設けられ、４つの段差調整機構１５は、ＬＥＤベース５の背面のネジ穴に雄ネジ１４ｂが螺合することでＬＥＤベース５の背面にそれぞれ取り付けられている。４つの段差調整機構１５が備える段差調整部材１４には磁石１３が内蔵されている。このように、４つの段差調整機構１５は、ＬＥＤベース５の背面の４つの角部に取り付けられているため、ＬＥＤベース５の各側面からアクセス可能である。
【００３７】
次に、ＬＥＤ表示タイル１ａの支持構造体２への取り付け方法について説明する。図６は、位置調整機構５０の概略構成図である。ここで、右下の角部のコーナージョイント９に設けられる目地調整機構１０は、左下の角部のコーナージョイント８に設けられる目地調整機構１０の左右対称であるため、左下の角部のコーナージョイント８に設けられる目地調整機構１０のみ説明する。
【００３８】
図６に示すように、目地調整機構１０は、コーナージョイント８、左右移動台１６、上下移動台１７、当接部１８、穴部１９ａ、左右位置調整機構２０、回転操作可能な左右位置調整ノブ２５、上下位置調整機構２１、および回転操作可能な上下位置調整ノブ２６を備えている。
【００３９】
コーナージョイント８は、底面部８ａおよび左側面部８ｂを備え、正面視にてＬ字状である。左右移動台１６は、底面部１６ａおよび左側面部１６ｂを備え、正面視にてＬ字状である。左右移動台１６は、コーナージョイント８上に配置され、コーナージョイント８上を左右方向に移動可能である。左右移動台１６には左右位置調整機構２０が設けられており、左右移動台１６の下面には、左右位置調整機構２０の一部である左右方向に延びる複数のラック２２が設けられている。
【００４０】
上下移動台１７は、直方体状であり、左右移動台１６上に配置され、左右移動台１６上を上下方向に移動可能である。上下移動台１７の前端部に当接部１８が配置されている。当接部１８は、磁石または磁性体材料により形成され段差調整部材１４における位置決めピン１２側の面と当接可能である。上下移動台１７内の前部には、位置決めピン１２が挿入可能な穴部１９ａを有する円筒部１９が配置されている。より具体的には、円筒部１９は穴部１９ａを前後に向けた状態で配置されており、穴部１９ａは当接部１８から後方に延びている。上下移動台１７には上下位置調整機構２１が設けられている。上下移動台１７の左側面には、上下位置調整機構２１の一部である上下方向に延びる複数のラック２２が設けられている。
【００４１】
左右位置調整ノブ２５は、左右位置調整機構２０に連結され、かつ、コーナージョイント８に取り付けられている。上下位置調整ノブ２６は、上下位置調整機構２１に連結され、かつ、左右移動台１６に取り付けられている。また、左右位置調整ノブ２５および上下位置調整ノブ２６には磁石が内蔵されている。
【００４２】
次に、図７と図８を用いて、左右位置調整機構２０および上下位置調整機構２１について説明する。図７は、ラック２２およびピニオン２３の概略構成図である。図８は、ラック２２およびピニオン２３の動作説明図である。なお、左右位置調整機構２０は、複数のラック２２および複数のピニオン２３を備えているが、図７と図８では１つのラック２２および１つのピニオン２３が示されている。左右位置調整機構２０および上下位置調整機構２１は同じ構成であるため、左右位置調整機構２０についてのみ説明する。
【００４３】
図６〜図８に示すように、ラック２２は左右移動台１６の下面に設けられている。ピニオン２３はラック２２の下側に配置され、ラック２２に噛合している。左右位置調整ノブ２５は、連結ピン２４を介してピニオン２３に連結されている。実際には、左右位置調整ノブ２５は、連結ピン２４を介して複数のピニオン２３に連結されている。また、左右位置調整ノブ２５は、ＬＥＤベース５の４つの角部に対向する位置に配置されている。左右位置調整ノブ２５をＸＲ方向に回転させることにより、連結ピン２４を介して連結されたピニオン２３が回転し、ピニオン２３と噛合しているラック２２が左右方向に水平移動する。
【００４４】
図９は、位置調整機構５０の動作説明図である。図９に示すように、目地調整機構１０の穴部１９ａに段差調整機構１５の位置決めピン１２が挿入されている。このとき、磁石１３を内蔵した段差調整部材１４に設けられた位置決めピン１２が目地調整機構１０の穴部１９ａに案内された後、段差調整部材１４は磁力により当接部１８に吸着された状態で保持される。
【００４５】
次に、ＬＥＤベース５の底面側からアクセスできる左右位置調整機構２０の左右位置調整ノブ２５をＸＲ方向に回転操作することにより、図７と図８で示すように、左右位置調整ノブ２５の回転が連結ピン２４を介してピニオン２３に伝達される。ピニオン２３に噛合している左右移動台１６のラック２２の直線移動に変換され、左右移動台１６が左右方向に移動する。同時に、左右移動台１６上に配置されている上下移動台１７も左右方向に移動する。
【００４６】
次に、ＬＥＤベース５の側面側からアクセスできる上下位置調整機構２１の上下位置調整ノブ２６をＹＲ方向に回転操作することにより、連結ピン２４を介してピニオン２３に伝達される。ピニオン２３に噛合している上下移動台１７のラック２２の直線移動に変換され、上下移動台１７が上下方向に移動し、上下移動台１７に設けられた円筒部１９に挿入されている段差調整機構１５の位置決めピン１２が同時に上下方向に移動する。
【００４７】
以上のように、ＬＥＤベース５の底面側からアクセスできる左右位置調整ノブ２５および側面側からアクセスできる上下位置調整ノブ２６の回転操作により、円筒部１９は上下方向および左右方向に移動し、円筒部１９に挿入されている段差調整機構１５の位置決めピン１２が上下方向および左右方向に移動することになり、段差調整機構１５が取り付けられているＬＥＤベース５の４つの角部のうち、まずは、左下の角部の上下方向および左右方向の位置が調整される。
【００４８】
これと同様に、右下の角部のコーナージョイント９に設けられた目地調整機構１１についても、左右位置調整ノブ２５および上下位置調整ノブ２６の回転操作により、ＬＥＤベース５の右下の角部の上下方向および左右方向の位置が調整される。
【００４９】
以上のように、２つの角部のコーナージョイント８，９に設けられた左右位置調整ノブ２５および上下位置調整ノブ２６の回転操作により、ＬＥＤ表示タイルの上下方向および左右方向の位置を調整することが可能となり、ＬＥＤ表示タイルと隣接する他のＬＥＤ表示タイルとの間の上下方向および左右方向の目地幅である隙間を調整することができる。
【００５０】
また、ＬＥＤベース５の背面の４つの角部に取り付けられている段差調整部材１４の操作部１４ａを回転操作することにより、ＬＥＤベース５の背面と、目地調整機構１０，１１それぞれの当接部１８およびコーナージョイント６，７の当接部との間隔を調整することができる。これにより、ＬＥＤ表示タイル１の４つの角部の前後方向の位置が調整される。
【００５１】
次に、マルチディスプレイシステム１００を構成するＬＥＤ表示タイル１ａ〜１ｒの設置方法について説明する。図１と図３と図９に示すように、まず、設置の際の位置基準タイルとなる、例えばＬＥＤ表示タイル１ｍに対向する支持構造体２の位置に配置された目地調整機構１０，１１の円筒部１９がそれぞれ、上下方向および左右方向の基準位置に位置するように、左右位置調整ノブ２５および上下位置調整ノブ２６を回転操作することにより調整する。
【００５２】
次に、ＬＥＤ表示タイル１ｍのＬＥＤベース５の背面の４つの角部に取り付けられた段差調整機構１５の位置決めピン１２を、その円錐形状部２７それぞれが目地調整機構１０、１１、および、コーナージョイント６，７それぞれに具備している円筒部１９に案内する。このとき、位置決めピン１２は円筒部１９の中心方向に寄りながら案内され、段差調整部材１４が目地調整機構１０，１１の当接部１８およびコーナージョイント６，７の磁性体材料からなる当接部に磁力により吸着され、ＬＥＤ表示タイル１ｍは上下方向および左右方向の基準位置に保持される。また、段差調整部材１４の操作部１４ａを回転操作することにより、ＬＥＤ表示タイル１ｍは前後方向の基準位置に調整される。
【００５３】
位置基準タイルとなるＬＥＤ表示タイル１ｍを設置した後、隣接する１段目のＬＥＤ表示タイル１ｎ，１о，１ｐ，１ｑ，１ｒを順次、上記と同様の方法で目地調整機構１０，１１と段差調整機構１５について、上下方向および左右方向の目地幅と前後方向の段差が目立たないように位置を調整しながら設置する。さらに、２段目のＬＥＤ表示タイル１ｇ，１ｈ，１ｉ，１ｊ，１ｋ，１ｌ、３段目のＬＥＤ表示タイル１ａ，１ｂ，１ｃ，１ｄ，１ｅ，１ｆも同様に左右方向の目地幅の調整と前後方向の段差の調整を実施しながら順次設置する。
【００５４】
なお、実施の形態では、１８面構成のマルチディスプレイシステム１００を例として説明したがさらに多数のＬＥＤ表示タイルを備えるマルチディスプレイシステムの場合にも、これと同様の組立調整を行うことが可能である。マルチディスプレイシステムが大型であっても、これと同様の調整手順で表示面の目地を微細に調整できるため、ＬＥＤ表示タイル間の目地が目立ちにくく、一体感のある映像を提供することが可能となる。
【００５５】
以上のように、実施の形態１に係るマルチディスプレイシステム１００では、左右位置調整ノブ２５の回転操作により左右位置調整機構２０を介して左右移動台１６および上下移動台１７を左右方向に移動させることで各ＬＥＤ表示タイル１ａ〜１ｒが左右方向に移動し、上下位置調整ノブ２６の回転操作により上下位置調整機構２１を介して上下移動台１７を上下方向に移動させることで各ＬＥＤ表示タイル１ａ〜１ｒが上下方向に移動し、位置決めピン１２が穴部１９ａに挿入された状態で段差調整部材１４における位置決めピン１２側の面が磁石１３の磁力により当接部１８に吸着することで、各ＬＥＤ表示タイル１ａ〜１ｒが支持構造体２に固定される。
【００５６】
したがって、ＬＥＤ表示タイルと隣接する他のＬＥＤ表示タイルとの間の表示面の左右方向および上下方向の隙間と前後方向の段差とを精度よく調整しその状態で固定することで、映像の品位を向上させることが可能である。
【００５７】
左右位置調整ノブ２５および上下位置調整ノブ２６は、支持構造体２における各ＬＥＤ表示タイル１ａ〜１ｒの角部に対応する位置に配置されたコーナージョイント８，９に設けられたため、各ＬＥＤ表示タイル１ａ〜１ｒの背面側からアクセスしにくい環境においても、各ＬＥＤ表示タイル１ａ〜１ｒの背面側からのみならず、正面側からでも、各ＬＥＤ表示タイル１ａ〜１ｒを前方向に引き出すことで、目地調整機構１０，１１に容易にアクセスすることが可能である。すなわち、ＬＥＤ表示タイル１ａ〜１ｒの表示面側および背面側の両方向から目地調整機構１０，１１に容易にアクセスすることが可能である。
【００５８】
＜実施の形態２＞
次に、実施の形態２に係るマルチディスプレイシステム１００について説明する。図１０は、実施の形態２に係るマルチディスプレイシステム１００が備える位置調整機構５０Ａの概略構成図である。図１１は、位置調整機構５０Ａの動作説明図である。なお、実施の形態２において、実施の形態１で説明したものと同一の構成要素については同一符号を付して説明は省略する。
【００５９】
図１０と図１１に示すように、実施の形態２では、実施の形態１の場合と位置決めピン１２の形状が異なっている。具体的には、位置決めピン１２は、先端部に設けられた突起形状部２８と、その基端側に設けられた円錐形状部２７とを有している。
【００６０】
さらに、上下移動台１７は、円筒部１９の奥側に突起形状部２８の固定および固定解除を行うラッチ機構３１をさらに備えている。ラッチ機構３１は、突起形状部２８を挟持可能な２つの爪部３０と、２つの爪部３０の開閉を切り替えるプッシュ・プル機構２９とを備えている。２つの爪部３０は、プッシュ・プル機構２９の左右に配置されている。円筒部１９の穴部１９ａとプッシュ・プル機構２９は同一直線上に位置しているため、位置決めピン１２の突起形状部２８はプッシュ・プル機構２９に対する押し込み操作を行うことが可能である。
【００６１】
図１１に示すように、プッシュ・プル機構２９は、位置決めピン１２の突起形状部２８により行われた押し込み操作に連動して２つの爪部３０が閉まる。これにより、突起形状部２８が２つの爪部３０に固定されることから、突起形状部２８とラッチ機構３１の嵌合時の前後方向の遊びを解消することができる。また、図１０に示すように、位置決めピン１２の突起形状部２８により、さらに深い押し込み操作が行われた場合、プッシュ・プル機構２９は前方に戻り、プッシュ・プル機構２９が前方に戻ることに連動して２つの爪部３０が開く。これにより、２つの爪部３０による突起形状部２８の固定が解除される。
【００６２】
次に、右下の角部のコーナージョイント９に設けられた位置調整機構５０Ｂについて説明する。図１２は、右下の角部の位置調整機構５０Ｂの概略構成図である。
【００６３】
実施の形態２では、左下の角部の位置調整機構５０Ａと右下の角部の位置調整機構５０Ｂとで構成が異なっている。図１２に示すように、上下移動台１７は円筒部１９に代えて、長円筒部３２を備えている。長円筒部３２は、左右方向に延びる長穴である穴部３２ａを前後に向けた状態で配置されている。
【００６４】
右下の角部の位置調整機構５０Ｂが長円筒部３２を備えることで、ＬＥＤ表示タイル１ａ〜１ｒの左右方向の位置調整は、主として、最初に実施する左下の角部の左右位置調整ノブ２５の回転操作によりＬＥＤ表示タイル１ａ〜１ｒの左右方向の位置を調整する際に、右下の角部の位置調整機構５０Ｂの位置決めピン１２が長円筒部３２の穴部３２ａ内を左右方向に移動できるため、長円筒部３２にストレスがかからずスムーズにＬＥＤ表示タイル１ａ〜１ｒの左右方向の位置を調整することが可能となっている。
【００６５】
次に、上下位置調整ノブ２６および段差調整部材１４の回転操作により、右下の角部の上下方向の位置および前後方向の位置を同様の手順で調整することにより、ＬＥＤ表示タイル１ａ〜１ｒの下辺の上下方向、左右方向および前後方向の位置が決定される。
【００６６】
図１３は、左上の角部のコーナージョイント６の概略構成図である。図１３に示すように、コーナージョイント６は直方体状であり、コーナージョイント６の前端部に当接部１８が配置されている。コーナージョイント６内の前部には、位置決めピン１２が嵌合可能な穴部３３ａを有する円筒部３３が配置されている。円筒部３３の穴部３３ａは円筒部１９の穴部１９ａよりも直径が大きくなっている。これは、ＬＥＤベース５の部品寸法および取り付けばらつき分を考慮したからである。これにより、左上の角部のコーナージョイント６および右上の角部のコーナージョイント７では、目地調整機構１０，１１を省略することが可能となり、部材コストを低減できるという効果がある。
【００６７】
コーナージョイント６は、円筒部３３の奥側にラッチ機構３１をさらに備えている。なお、右上の角部のコーナージョイント７は、図１０に示す左上の角部のコーナージョイント６の左右対称であるため図示は省略する。
【００６８】
以上のように、実施の形態２に係るマルチディスプレイシステム１００では、位置決めピン１２は先端部に設けられた突起形状部２８を有し、上下移動台１７は、穴部１９ａ，３２ａの奥側に突起形状部２８の固定および固定解除を行うラッチ機構３１をさらに備え、ラッチ機構３１は、突起形状部２８を挟持可能な爪部３０と、爪部３０の開閉を切り替えるプッシュ・プル機構２９とを備え、プッシュ・プル機構２９に対する段差調整機構１５の押し込み操作により突起形状部２８を固定および固定解除を行うことで各ＬＥＤ表示タイル１ａ〜１ｒが支持構造体２に固定および固定解除される。
【００６９】
したがって、段差調整部材１４と当接部１８との磁力による吸着に加えて、爪部３０により突起形状部２８を保持することができるため、各ＬＥＤ表示タイル１ａ〜１ｒと支持構造体２との固定状態が維持される。
【００７０】
なお、図１４に示すように、本実施の形態ではラッチ機構３１は２つの爪部３０を備えているとして説明したが、これに限定されることなく３つ以上の爪部３０を備えていてもよい。図１４は、ラッチ機構３１の概略構成図である。図１５は、ラッチ機構３１の他の例の概略構成図である。
【００７１】
例えば図１５に示すように、６つの爪部３０はプッシュ・プル機構の周囲に等間隔に配置されており、突起形状部２８をしっかりと包み込むように挟持することができる。段差調整部材１４と当接部１８との磁力による吸着に加えて、６つの爪部３０により突起形状部２８を強力に保持することができるため、仮に地震などで強い外力が加わった場合においても、各ＬＥＤ表示タイル１ａ〜１ｒと支持構造体２との固定状態が維持される。
【００７２】
＜実施の形態３＞
次に、実施の形態３に係るマルチディスプレイシステム１００について説明する。図１６は、実施の形態３に係るマルチディスプレイシステム１００が備える位置調整機構５０Ｃの概略構成図である。図１７は、位置調整機構５０Ｃの動作説明図である。なお、実施の形態３において、実施の形態１，２で説明したものと同一の構成要素については同一符号を付して説明は省略する。
【００７３】
実施の形態３では、図１６と図１７に示すように、目地調整機構１０Ａは前後移動台３４をさらに備えている。前後移動台３４は、底面部３４ａおよび左側面部３４ｂを備え、正面視にてＬ字状である。前後移動台３４は、コーナージョイント８上に配置されている。底面部３４ａおよび左側面部３４ｂには、前後方向に延びるスライド部３５が１つずつ設けられ、コーナージョイント８の底面部８ａおよび左側面部８ｂにおけるスライド部３５に対応する位置に溝部（図示省略）が１つずつ設けられている。スライド部３５が溝部に沿ってスライドすることで、前後移動台３４は、コーナージョイント８上を前後方向に移動可能である。
【００７４】
左右移動台１６は、前後移動台３４上に配置され、前後移動台３４上を左右方向に移動可能である。
【００７５】
各ＬＥＤ表示タイル１ａ〜１ｒを支持構造体２に固定する際、前後移動台３４を前方に移動させて、穴部１９ａに位置決めピン１２を挿入し、段差調整部材１４における位置決めピン１２側の面が磁石１３の磁力により当接部１８に吸着した状態で、前後移動台３４を後方に移動させる。これにより、前後移動台３４により各ＬＥＤ表示タイル１ａ〜１ｒを前方に移動させた状態で位置調整機構５０Ｃにアクセスすることができるため、位置調整機構５０Ｃに容易にアクセスすることが可能となる。
【００７６】
また、コーナージョイント８の左側面部８ｂの前端部にストッパー３６が設けられ、前後移動台３４の左側面部３４ｂの後端部に引掛部３７が設けられている。これにより、前後移動台３４を前方に引き出す際に、引掛部３７がストッパー３６に当接し前後移動台３４がこれ以上引き出されないため、前後移動台３４が脱落することを抑制できる。
【００７７】
以上のように、実施の形態３に係るマルチディスプレイシステム１００では、各ＬＥＤ表示タイル１ａ〜１ｒを支持構造体２に固定する際、前後移動台３４を前方に移動させて、穴部１９ａに位置決めピン１２を挿入し、段差調整部材１４における位置決めピン１２側の面が磁石１３の磁力により当接部１８に吸着した状態で、前後移動台３４を後方に移動させる。これにより、前後移動台３４により各ＬＥＤ表示タイル１ａ〜１ｒを前方に移動させた状態で位置調整機構５０Ｃにアクセスすることができるため、位置調整機構５０Ｃに容易にアクセスすることが可能となる。
【００７８】
なお、実施の形態１に係るマルチディスプレイシステム１００に前後移動台３４を備える構成を採用してもよい。この場合にも実施の形態３と同様の効果が得られる。
【００７９】
＜実施の形態４＞
次に、実施の形態４に係るマルチディスプレイシステム１００について説明する。図１８は、実施の形態４に係るマルチディスプレイシステム１００が備えるマグネット治具３００による段差調整機構１５の前後方向と、目地調整機構１０Ａの左右方向および上下方向の位置調整の動作説明図である。なお、実施の形態４において、実施の形態１〜３で説明したものと同一の構成要素については同一符号を付して説明は省略する。
【００８０】
図１８に示すように、実施の形態４では、マルチディスプレイシステム１００はさらにマグネット治具３００を備えている。マグネット治具３００は、ＬＥＤ表示タイル１ａの表示面における背面側の位置調整機構１０Ａに対応する位置に配置される。マグネット治具３００は、帯電防止処理を施した保護樹脂層３０１、および保護樹脂層３０１に対して回転可能なマグネット回転部３０２，３２０，３２１を備えている。なお、実施の形態４では、実施の形態２に係るマルチディスプレイシステム１００にマグネット治具３００を採用する場合について説明する。
【００８１】
ＬＥＤ表示タイル１ａの前後方向の位置を調整する場合、マグネット治具３００の保護樹脂層３０１をＬＥＤ表示タイル１ａの表示面に当接させて、ＬＥＤ表示タイル１ａの背面側のＬＥＤベース５上に螺合された段差調整部材１４内の磁石１３とマグネット回転部３０２とを磁力により吸着させた状態で、マグネット回転部３０２を回転させる。
【００８２】
ＬＥＤ表示タイル１ａの左右方向の位置を調整する場合は、ＬＥＤ表示タイル１ａの背面側の左右位置調整ノブ２５とマグネット回転部３２０とを磁力により吸着させた状態で、マグネット回転部３２０を回転させる。ＬＥＤ表示タイル１ａの上下方向の位置を調整する場合は、ＬＥＤ表示タイル１ａの背面側の上下位置調整ノブ２６とマグネット回転部３２１とを磁力により吸着させた状態で、マグネット回転部３２１を回転させる。
【００８３】
次に、マグネット治具３００を用いた、ＬＥＤ表示タイル１ａの前後方向の位置調整方法の詳細について説明する。図１９は、マグネット治具３００による段差調整機構１５Ａの前方向の位置調整の動作説明図である。図２０は、マグネット治具３００による段差調整機構１５Ａの後方向の位置調整の動作説明図である。
【００８４】
図１９に示すように、マグネット治具３００の保護樹脂層３０１をＬＥＤ表示タイル１ａの表示面に当接させて、ＬＥＤ表示タイル１ａの背面側のＬＥＤベース５上に螺合された段差調整部材１４内の磁石１３とマグネット回転部３０２とを磁力により吸着させた状態で、回転軸３０３を中心にマグネット回転部３０２を時計回りに回転操作する。すると、段差調整部材１４が繰り出される方向に回転するため、段差調整部材１４がＬＥＤ表示タイル１ａとは反対側に相対的に移動し、当接部１８とＬＥＤ表示タイル１ａとの距離が長くなり、ＬＥＤ表示タイル１ａは前方に移動する。
【００８５】
図２０に示すように、マグネット治具３００の保護樹脂層３０１をＬＥＤ表示タイル１ａの表示面に当接させて、ＬＥＤ表示タイル１ａの背面側のＬＥＤベース５上に螺合された段差調整部材１４内の磁石１３とマグネット回転部３０２とを磁力により吸着させた状態で、回転軸３０３を中心にマグネット回転部３０２を反時計回りに回転操作する。すると、段差調整部材１４が締め込まれる方向に回転するため、段差調整部材１４がＬＥＤ表示タイル１ａ側に相対的に移動し、当接部１８とＬＥＤ表示タイル１ａとの距離が短くなり、ＬＥＤ表示タイル１ａは後方に移動する。
【００８６】
これにより、図１に示すように、マルチディスプレイシステム１００が組まれている状態で、かつ、背面に作業スペースがない場合においても、ＬＥＤ表示タイル１ａ〜１ｒの正面側からマグネット治具３００の回転操作を行うことでＬＥＤ表示タイルと隣接する他のＬＥＤ表示タイルとの間の前後方向の段差を解消するように調整することが可能となる。
【００８７】
これと同様に、ＬＥＤ表示タイル１ａ〜１ｒの正面側からマグネット回転部３２０およびマグネット回転部３２１の回転操作を行うことでＬＥＤ表示タイルと隣接する他のＬＥＤ表示タイルとの間の左右方向および上下方向の隙間を解消するように調整することが可能となる。
【００８８】
以上のように、実施の形態４に係るマルチディスプレイシステム１００では、左右位置調整ノブ２５および上下位置調整ノブ２６は共に磁石を有し、マルチディスプレイシステム１００は、段差調整部材１４、左右位置調整ノブ２５および上下位置調整ノブ２６を磁力により吸着可能なマグネット治具３００をさらに備え、マグネット治具３００が各ＬＥＤ表示タイル１ａ〜１ｒの表示面に配置され、各ＬＥＤ表示タイル１ａ〜１ｒの表示面側からマグネット治具３００の磁力により各ＬＥＤ表示タイル１ａ〜１ｒを介して段差調整部材１４、左右位置調整ノブ２５および上下位置調整ノブ２６を吸着した状態で回転操作されることで、各ＬＥＤ表示タイル１ａ〜１ｒの前後方向、左右方向および上下方向の位置が調整される。
【００８９】
したがって、段差調整部材１４、左右位置調整ノブ２５、および上下位置調整ノブ２６を直接手動で回転操作することなく、磁力による回転操作により、各ＬＥＤ表示タイル１ａ〜１ｒの前後方向、左右方向、および上下方向の位置を個別に調整することが可能となる。これにより、マルチディスプレイシステム１００を組み上げた後、背面側からアクセスしにくい環境においても、ＬＥＤ表示タイルと隣接する他のＬＥＤ表示タイルとの間の目地および段差を正面側からマグネット治具３００により精度よく調整することが可能となる。
【００９０】
なお、実施の形態４では、実施の形態２に係るマルチディスプレイシステム１００にマグネット治具３００を採用する場合について説明したが、実施の形態１，３に係るマルチディスプレイシステム１００にマグネット治具３００を採用することも可能である。この場合にも、実施の形態４と同様の効果が得られる。
【００９１】
この発明は詳細に説明されたが、上記した説明は、すべての局面において、例示であって、この発明がそれに限定されるものではない。例示されていない無数の変形例が、この発明の範囲から外れることなく想定され得るものと解される。
【００９２】
なお、本発明は、その発明の範囲内において、各実施の形態を自由に組み合わせたり、各実施の形態を適宜、変形、省略することが可能である。
【符号の説明】
【００９３】
１ａ〜１ｒ  ＬＥＤ表示タイル、２  支持構造体、６，７，８，９  コーナージョイント、１０，１０Ａ，１１  目地調整機構、１２  位置決めピン、１４  段差調整部材、１５，１５Ａ  段差調整機構、１６  左右移動台、１７  上下移動台、１８  当接部、１９ａ  穴部、２０  左右位置調整機構、２１  上下位置調整機構、２５  左右位置調整ノブ、２６  上下位置調整ノブ、２８  突起形状部、２９  プッシュ・プル機構、３０  爪部、３１  ラッチ機構、３２ａ  穴部、３４  前後移動台、５０，５０Ａ，５０Ｂ，５０Ｃ  位置調整機構、１００  マルチディスプレイシステム、３００  マグネット治具。
【図１】
2019155510.tif 000003
【図２】
2019155510.tif 000004
【図３】
2019155510.tif 000005
【図４】
2019155510.tif 000006
【図５】
2019155510.tif 000007
【図６】
2019155510.tif 000008
【図７】
2019155510.tif 000009
【図８】
2019155510.tif 000010
【図９】
2019155510.tif 000011
【図１０】
2019155510.tif 000012
【図１１】
2019155510.tif 000013
【図１２】
2019155510.tif 000014
【図１３】
2019155510.tif 000015
【図１４】
2019155510.tif 000016
【図１５】
2019155510.tif 000017
【図１６】
2019155510.tif 000018
【図１７】
2019155510.tif 000019
【図１８】
2019155510.tif 000020
【図１９】
2019155510.tif 000021
【図２０】
2019155510.tif 000022
【手続補正書】
【提出日】平成30年9月11日(2018.9.11)
【手続補正１】
【補正対象書類名】特許請求の範囲
【補正対象項目名】全文
【補正方法】変更
【補正の内容】
【特許請求の範囲】
【請求項１】
複数の映像表示装置（１ａ〜１ｒ）と、
複数の前記映像表示装置（１ａ〜１ｒ）を支持する支持構造体（２）と、
各前記映像表示装置（１ａ〜１ｒ）の位置を調整可能な位置調整機構（５０，５０Ａ，５０Ｂ）と、
を備え、
前記位置調整機構（５０，５０Ａ，５０Ｂ）は、各前記映像表示装置（１ａ〜１ｒ）の上下方向および左右方向の位置調整を担う目地調整機構（１０，１１）と、各前記映像表示装置（１ａ〜１ｒ）の前後方向の位置調整を担う段差調整機構（１５，１５Ａ）とを備え、
前記段差調整機構（１５，１５Ａ）は、各前記映像表示装置（１ａ〜１ｒ）の背面の４つの角部に配置されかつ磁石を有する、回転操作可能な段差調整部材（１４）と、前記段差調整部材（１４）の回転軸と同軸上に設けられた位置決めピン（１２）とを備え、
前記目地調整機構（１０，１１）は、前記支持構造体（２）における各前記映像表示装置（１ａ〜１ｒ）の４つの角部に対応する位置に配置された連結部材（６，７，８，９）と、前記連結部材（６，７，８，９）上を左右方向に移動可能な左右移動台（１６）と、前記左右移動台（１６）上を上下方向に移動可能な上下移動台（１７）と、前記上下移動台（１７）の前端部に配置されかつ磁石または磁性体材料により形成され前記段差調整部材（１４）における前記位置決めピン（１２）側の面と当接可能な当接部（１８）と、前記当接部（１８）から後方に延びるように形成されかつ前記位置決めピン（１２）を挿入可能な穴部（１９ａ，３２ａ）と、前記左右移動台（１６）および前記上下移動台（１７）を左右方向に移動させる左右位置調整機構（２０）と、前記左右位置調整機構（２０）に連結されかつ前記連結部材（６，７，８，９）に配置された、回転操作可能な左右位置調整ノブ（２５）と、前記上下移動台（１７）を上下方向に移動させる上下位置調整機構（２１）と、前記上下位置調整機構（２１）に連結されかつ前記左右移動台（１６）に配置された、回転操作可能な上下位置調整ノブ（２６）とを備え、
前記左右位置調整ノブ（２５）の回転操作により前記左右位置調整機構（２０）を介して前記左右移動台（１６）および前記上下移動台（１７）を左右方向に移動させることで各前記映像表示装置（１ａ〜１ｒ）が左右方向に移動し、前記上下位置調整ノブ（２６）の回転操作により前記上下位置調整機構（２１）を介して前記上下移動台（１７）を上下方向に移動させることで各前記映像表示装置（１ａ〜１ｒ）が上下方向に移動し、
前記位置決めピン（１２）が前記穴部（１９ａ，３２ａ）に挿入された状態で前記段差調整部材（１４）における前記位置決めピン（１２）側の面が前記磁石の磁力により前記当接部（１８）に吸着することで、各前記映像表示装置（１ａ〜１ｒ）が前記支持構造体（２）に固定される、マルチディスプレイシステム。
【請求項２】
前記左右位置調整ノブ（２５）および前記上下位置調整ノブ（２６）は共に磁石を有し、
前記マルチディスプレイシステムは、前記段差調整部材（１４）、前記左右位置調整ノブ（２５）および前記上下位置調整ノブ（２６）を磁力により吸着可能なマグネット治具（３００）をさらに備え、
前記マグネット治具（３００）が各前記映像表示装置（１ａ〜１ｒ）の表示面に配置され、各前記映像表示装置（１ａ〜１ｒ）の表示面側から前記マグネット治具（３００）の磁力により各前記映像表示装置（１ａ〜１ｒ）を介して前記段差調整部材（１４）、前記左右位置調整ノブ（２５）および前記上下位置調整ノブ（２６）を吸着した状態で回転操作されることで、各前記映像表示装置（１ａ〜１ｒ）の前後方向、左右方向および上下方向の位置が調整される、請求項１記載のマルチディスプレイシステム。
【請求項３】
前記位置決めピン（１２）は先端部に設けられた突起形状部（２８）を有し、
前記上下移動台（１７）は、前記穴部（１９ａ，３２ａ）の奥側に前記突起形状部（２８）の固定および固定解除を行うラッチ機構（３１）をさらに備え、
前記ラッチ機構（３１）は、前記突起形状部（２８）を挟持可能な爪部（３０）と、前記爪部の開閉を切り替えるプッシュ・プル機構（２９）とを備え、
前記プッシュ・プル機構（２９）に対する前記段差調整機構（１５，１５Ａ）の押し込み操作により前記突起形状部（２８）を固定および固定解除を行うことで各前記映像表示装置（１ａ〜１ｒ）が前記支持構造体（２）に固定および固定解除される、請求項１記載のマルチディスプレイシステム。
【請求項４】
複数の映像表示装置（１ａ〜１ｒ）と、
複数の前記映像表示装置（１ａ〜１ｒ）を支持する支持構造体（２）と、
各前記映像表示装置（１ａ〜１ｒ）の位置を調整可能な位置調整機構（５０Ｃ）と、
を備え、
前記位置調整機構（５０Ｃ）は、各前記映像表示装置（１ａ〜１ｒ）の上下方向および左右方向の位置調整を担う目地調整機構（１０Ａ）と、各前記映像表示装置（１ａ〜１ｒ）の前後方向の位置調整を担う段差調整機構（１５，１５Ａ）とを備え、
前記段差調整機構（１５，１５Ａ）は、各前記映像表示装置（１ａ〜１ｒ）の背面の４つの角部に配置されかつ磁石を有する、回転操作可能な段差調整部材（１４）と、前記段差調整部材（１４）の回転軸と同軸上に設けられた位置決めピン（１２）とを備え、
前記目地調整機構（１０Ａ）は、前記支持構造体（２）における各前記映像表示装置（１ａ〜１ｒ）の４つの角部に対応する位置に配置された連結部材（６，７，８，９）と、前記連結部材（６，７，８，９）上を前後方向に移動可能な前後移動台（３４）と、前記前後移動台（３４）上を左右方向に移動可能な左右移動台（１６）と、前記左右移動台（１６）上を上下方向に移動可能な上下移動台（１７）と、前記上下移動台（１７）の前端部に配置されかつ磁石または磁性体材料により形成され前記段差調整部材（１４）における前記位置決めピン（１２）側の面と当接可能な当接部（１８）と、前記当接部（１８）から後方に延びるように形成されかつ前記位置決めピン（１２）を挿入可能な穴部（１９ａ，３２ａ）と、前記左右移動台（１６）および前記上下移動台（１７）を左右方向に移動させる左右位置調整機構（２０）と、前記左右位置調整機構（２０）に連結されかつ前記連結部材（６，７，８，９）に配置された、回転操作可能な左右位置調整ノブ（２５）と、前記上下移動台（１７）を上下方向に移動させる上下位置調整機構（２１）と、前記上下位置調整機構（２１）に連結されかつ前記左右移動台（１６）に配置された、回転操作可能な上下位置調整ノブ（２６）とを備え、
前記左右位置調整ノブ（２５）の回転操作により前記左右位置調整機構（２０）を介して前記左右移動台（１６）および前記上下移動台（１７）を左右方向に移動させることで各前記映像表示装置（１ａ〜１ｒ）が左右方向に移動し、前記上下位置調整ノブ（２６）の回転操作により前記上下位置調整機構（２１）を介して前記上下移動台（１７）を上下方向に移動させることで各前記映像表示装置（１ａ〜１ｒ）が上下方向に移動し、
前記位置決めピン（１２）が前記穴部（１９ａ，３２ａ）に挿入された状態で前記段差調整部材（１４）における前記位置決めピン（１２）側の面が前記磁石の磁力により前記当接部（１８）に吸着することで、各前記映像表示装置（１ａ〜１ｒ）が前記支持構造体（２）に固定され、
各前記映像表示装置（１ａ〜１ｒ）を前記支持構造体（２）に固定する際、前記前後移動台（３４）を前方に移動させて、前記穴部（１９ａ，３２ａ）に前記位置決めピン（１２）を挿入し、前記段差調整部材（１４）における前記位置決めピン（１２）側の面が前記磁石の磁力により前記当接部（１８）に吸着した状態で、前記前後移動台（３４）を後方に移動させる、マルチディスプレイシステム。
【請求項５】
前記左右位置調整ノブ（２５）および前記上下位置調整ノブ（２６）は共に磁石を有し、
前記マルチディスプレイシステムは、前記段差調整部材（１４）、前記左右位置調整ノブ（２５）および前記上下位置調整ノブ（２６）を磁力により吸着可能なマグネット治具（３００）をさらに備え、
前記マグネット治具（３００）が各前記映像表示装置（１ａ〜１ｒ）の表示面に配置され、各前記映像表示装置（１ａ〜１ｒ）の表示面側から前記マグネット治具（３００）の磁力により各前記映像表示装置（１ａ〜１ｒ）を介して前記段差調整部材（１４）、前記左右位置調整ノブ（２５）および前記上下位置調整ノブ（２６）を吸着した状態で回転操作されることで、各前記映像表示装置（１ａ〜１ｒ）の前後方向、左右方向および上下方向の位置が調整される、請求項４記載のマルチディスプレイシステム。
【請求項６】
前記位置決めピン（１２）は先端部に設けられた突起形状部（２８）を有し、
前記上下移動台（１７）は、前記穴部（１９ａ，３２ａ）の奥側に前記突起形状部（２８）の固定および固定解除を行うラッチ機構（３１）をさらに備え、
前記ラッチ機構（３１）は、前記突起形状部（２８）を挟持可能な爪部（３０）と、前記爪部（３０）の開閉を切り替えるプッシュ・プル機構（２９）とを備え、
前記プッシュ・プル機構（２９）に対する前記段差調整機構（１５，１５Ａ）の押し込み操作により前記突起形状部（２８）を固定および固定解除を行うことで各前記映像表示装置（１ａ〜１ｒ）が前記支持構造体（２）に固定および固定解除される、請求項４記載のマルチディスプレイシステム。
【請求項７】
マルチディスプレイシステム（１００）における映像表示装置（１ａ〜１ｒ）であって、
前記マルチディスプレイシステム（１００）が備える支持構造体（２）により支持され、
前記マルチディスプレイシステム（１００）が備える位置調整機構（５０，５０Ａ，５０Ｂ）により前記映像表示装置（１ａ〜１ｒ）の位置が調整可能であり、
前記位置調整機構（５０，５０Ａ，５０Ｂ）は、前記映像表示装置（１ａ〜１ｒ）の上下方向および左右方向の位置調整を担う目地調整機構（１０，１１）と、前記映像表示装置（１ａ〜１ｒ）の前後方向の位置調整を担う段差調整機構（１５，１５Ａ）とを備え、
前記段差調整機構（１５，１５Ａ）は、前記映像表示装置（１ａ〜１ｒ）の背面の４つの角部に配置されかつ磁石を有する、回転操作可能な段差調整部材（１４）と、前記段差調整部材（１４）の回転軸と同軸上に設けられた位置決めピン（１２）とを備え、
前記目地調整機構（１０，１１）は、前記支持構造体（２）における前記映像表示装置（１ａ〜１ｒ）の４つの角部に対応する位置に配置された連結部材（６，７，８，９）と、前記連結部材（６，７，８，９）上を左右方向に移動可能な左右移動台（１６）と、前記左右移動台（１６）上を上下方向に移動可能な上下移動台（１７）と、前記上下移動台（１７）の前端部に配置されかつ磁石または磁性体材料により形成され前記段差調整部材（１４）における前記位置決めピン（１２）側の面と当接可能な当接部（１８）と、前記当接部（１８）から後方に延びるように形成されかつ前記位置決めピン（１２）を挿入可能な穴部（１９ａ，３２ａ）と、前記左右移動台（１６）および前記上下移動台（１７）を左右方向に移動させる左右位置調整機構（２０）と、前記左右位置調整機構（２０）に連結されかつ前記連結部材（６，７，８，９）に配置された、回転操作可能な左右位置調整ノブ（２５）と、前記上下移動台（１７）を上下方向に移動させる上下位置調整機構（２１）と、前記上下位置調整機構（２１）に連結されかつ前記左右移動台（１６）に配置された、回転操作可能な上下位置調整ノブ（２６）とを備え、
前記左右位置調整ノブ（２５）の回転操作により前記左右位置調整機構（２０）を介して前記左右移動台（１６）および前記上下移動台（１７）を左右方向に移動させることで前記映像表示装置（１ａ〜１ｒ）が左右方向に移動し、前記上下位置調整ノブ（２６）の回転操作により前記上下位置調整機構（２１）を介して前記上下移動台（１７）を上下方向に移動させることで前記映像表示装置（１ａ〜１ｒ）が上下方向に移動し、
前記位置決めピン（１２）が前記穴部（１９ａ，３２ａ）に挿入された状態で前記段差調整部材（１４）における前記位置決めピン（１２）側の面が前記磁石の磁力により前記当接部（１８）に吸着することで、各前記映像表示装置（１ａ〜１ｒ）が前記支持構造体（２）に固定される、映像表示装置。
【請求項８】
マルチディスプレイシステム（１００）における映像表示装置（１ａ〜１ｒ）であって、
前記マルチディスプレイシステム（１００）が備える支持構造体（２）により支持され、
前記マルチディスプレイシステム（１００）が備える位置調整機構（５０Ｃ）により前記映像表示装置（１ａ〜１ｒ）の位置が調整可能であり、
前記位置調整機構（５０Ｃ）は、前記映像表示装置（１ａ〜１ｒ）の上下方向および左右方向の位置調整を担う目地調整機構（１０Ａ）と、前記映像表示装置（１ａ〜１ｒ）の前後方向の位置調整を担う段差調整機構（１５，１５Ａ）とを備え、
前記段差調整機構（１５，１５Ａ）は、前記映像表示装置（１ａ〜１ｒ）の背面の４つの角部に配置されかつ磁石を有する、回転操作可能な段差調整部材（１４）と、前記段差調整部材（１４）の回転軸と同軸上に設けられた位置決めピン（１２）とを備え、
前記目地調整機構（１０Ａ）は、前記支持構造体（２）における前記映像表示装置（１ａ〜１ｒ）の４つの角部に対応する位置に配置された連結部材（６，７，８，９）と、前記連結部材（６，７，８，９）上を前後方向に移動可能な前後移動台（３４）と、前記前後移動台（３４）上を左右方向に移動可能な左右移動台（１６）と、前記左右移動台（１６）上を上下方向に移動可能な上下移動台（１７）と、前記上下移動台（１７）の前端部に配置されかつ磁石または磁性体材料により形成され前記段差調整部材（１４）における前記位置決めピン（１２）側の面と当接可能な当接部（１８）と、前記当接部（１８）から後方に延びるように形成されかつ前記位置決めピン（１２）を挿入可能な穴部（１９ａ，３２ａ）と、前記左右移動台（１６）および前記上下移動台（１７）を左右方向に移動させる左右位置調整機構（２０）と、前記左右位置調整機構（２０）に連結されかつ前記連結部材（６，７，８，９）に配置された、回転操作可能な左右位置調整ノブ（２５）と、前記上下移動台（１７）を上下方向に移動させる上下位置調整機構（２１）と、前記上下位置調整機構（２１）に連結されかつ前記左右移動台（１６）に配置された、回転操作可能な上下位置調整ノブ（２６）とを備え、
前記左右位置調整ノブ（２５）の回転操作により前記左右位置調整機構（２０）を介して前記左右移動台（１６）および前記上下移動台（１７）を左右方向に移動させることで前記映像表示装置（１ａ〜１ｒ）が左右方向に移動し、前記上下位置調整ノブ（２６）の回転操作により前記上下位置調整機構（２１）を介して前記上下移動台（１７）を上下方向に移動させることで前記映像表示装置（１ａ〜１ｒ）が上下方向に移動し、
前記位置決めピン（１２）が前記穴部（１９ａ，３２ａ）に挿入された状態で前記段差調整部材（１４）における前記位置決めピン（１２）側の面が前記磁石の磁力により前記当接部（１８）に吸着することで、各前記映像表示装置（１ａ〜１ｒ）が前記支持構造体（２）に固定され、
前記映像表示装置（１ａ〜１ｒ）を前記支持構造体（２）に固定する際、前記前後移動台（３４）を前方に移動させて、前記穴部（１９ａ，３２ａ）に前記位置決めピン（１２）を挿入し、前記段差調整部材（１４）における前記位置決めピン（１２）側の面が前記磁石の磁力により前記当接部（１８）に吸着した状態で、前記前後移動台（３４）を後方に移動させる、映像表示装置。
【国際調査報告】
2019155510.tif 000023
2019155510.tif 000024
2019155510.tif 000025
2019155510.tif 000026